【事件の表示】
　特願２０１０−２２８７９４「表示装置，表示装置の制御方法，及び，プログラム」拒絶査定不服審判事件〔平成２４年４月２６日出願公開，特開２０１２−８３４８４〕について，次のとおり審決する。
【結　論】
　本件審判の請求は，成り立たない。
【理　由】
第１　手続の経緯
　本件出願は，平成２２年１０月８日の特許出願であって，その手続の経緯は，概略，以下のとおりである。
平成２５年　６月　７日：手続補正書（以下「補正１」という。）
平成２６年　１月２７日：拒絶理由通知（同年２月４日発送）
平成２６年　４月　４日：意見書（以下「意見書」という。）
平成２６年　４月　４日：手続補正書
平成２６年　６月１７日：拒絶査定（同年同月２４日送達）
平成２６年　９月１８日：手続補正書（以下「本件補正」という。）
平成２６年　９月１８日：審判請求
平成２６年１０月１６日：前置報告
　
第２　補正却下の決定
［結論］
　本件補正を却下する。
　
［理由］
　１　補正の内容
　(1) 本件補正前の特許請求の範囲の請求項１は，以下のとおりである。
「　画像を表示する表示部と，
　前記表示部の表示範囲に複数の表示領域を並べて配置し，各表示領域に画像を表示させる表示制御部と，
　各々の前記表示領域に表示される画像を，複数の入力画像から選択する画像選択部と，
　前記表示領域に表示する画像として選択可能な複数の前記入力画像を表示し，表示された前記入力画像のいずれかを前記表示領域に表示する画像として選択する操作と，前記選択を決定する確定操作とをするための画像指定画面を前記表示部に表示させ，
　前記画像指定画面の表示中の操作により，複数の前記表示領域のいずれかに表示する画像として前記入力画像が選択された場合に，選択された前記入力画像と同時に表示できない前記入力画像が他の前記表示領域に表示する画像として選択されないように，他の前記表示領域に対応する前記画像指定画面の表示形態を変更し，
　前記画像指定画面の表示中の操作により全ての前記表示領域に表示する画像が選択され，前記確定操作がされた場合に，全ての前記表示領域に表示する画像を一括して決定し，決定した画像を前記画像選択部により選択させる多画面表示制御部と，
　を備えることを特徴とする表示装置。」
　
　(2) 本件補正後の特許請求の範囲の請求項１は，以下のとおりである（下線部は当審判体が付した，以下同じ。）。
「　画像を表示する表示部と，
　前記表示部の表示範囲に複数の表示領域を並べて配置し，各表示領域に画像を表示させる表示制御部と，
　各々の前記表示領域に表示される画像を，複数の入力画像から選択する画像選択部と，
　前記表示領域に表示する画像として選択可能な複数の前記入力画像を表示し，表示された前記入力画像のいずれかを前記表示領域に表示する画像として選択する操作と，前記選択を決定する確定操作とをするための画像指定画面を前記表示部に表示させ，
　前記画像指定画面の表示中の操作により，複数の前記表示領域のいずれかに表示する画像として前記入力画像が選択された場合に，選択された前記入力画像と同時に表示できない前記入力画像が他の前記表示領域に表示する画像として選択されないように，
前記確定操作がなされる前に，
　前記画像指定画面の表示中の操作により全ての前記表示領域に表示する画像が選択され，前記確定操作がされた場合に，全ての前記表示領域に表示する画像を一括して決定し，決定した画像を前記画像選択部により選択させる多画面表示制御部と，
　を備えることを特徴とする表示装置。」
　
　２　補正の目的
　本件補正は，本件補正前の特許請求の範囲の請求項１に係る発明（以下「本願発明」という。）の多画面表示制御部における「前記画像指定画面の表示中の操作により，複数の前記表示領域のいずれかに表示する画像として前記入力画像が選択された場合に，選択された前記入力画像と同時に表示できない前記入力画像が他の前記表示領域に表示する画像として選択されないように，他の前記表示領域に対応する前記画像指定画面の表示形態を変更し」の構成を，「前記画像指定画面の表示中の操作により，複数の前記表示領域のいずれかに表示する画像として前記入力画像が選択された場合に，選択された前記入力画像と同時に表示できない前記入力画像が他の前記表示領域に表示する画像として選択されないように，
前記確定操作がなされる前に，
　そこで，本件補正後の特許請求の範囲の請求項１に係る発明（以下「本件補正後発明」という。）が，特許出願の際に独立して特許を受けることができるものであるかについて，以下，検討する。
　
　３　独立特許要件違反
　(1) 本件補正後発明
　本件補正後発明は，本件補正後の特許請求の範囲の請求項１に記載のとおりのもの（前記１(2)に記載のとおりのもの）である。
　なお，本件出願の発明の詳細な説明には，【図１】とともに，画像選択部（ソース選択部２３）が，表示制御部（表示制御部１５）の構成の一部である実施形態が開示されている。しかしながら，請求項１では，両者は，別の構成として記載されているから，本件補正後発明の「画像選択部」と「表示制御部」は，別の構成（請求項１に記載されたとおりの構成）と認める。また，請求項１の記載及び【図３】（ｂ）等からみて，本件補正後発明の「入力画像」は，「入力画像の内容」のみならず，「コンピュータ」，「ビデオ」，「ＨＤＭＩ」等の，「入力画像の入力元の名称」を含む概念と認める。
　
　(2) 引用例１に記載の事項
　本件出願の出願前に頒布された刊行物である特開２００７−６０２９７号公報（【公開日】平成１９年３月８日，【発明の名称】放送受信装置及び受信可能な受信放送方式表示方法，【出願番号】特願２００５−２４３１９８号，【出願日】平成１７年８月２４日，【出願人】株式会社東芝，以下「引用例１」という。）には，図面とともに，以下の事項が記載されている。
　
　ア　「【要約】
【課題】各種の放送方式を受信でき多画面表示できる受信装置において，チャンネル選択操作で混乱を生じないようにし，利用者の操作の信頼性と安定性を得る。
【解決手段】複数の受信部及び複数のデコーダ１９，３０，１２Ａ−２４Ｃ，２５Ａ−２５Ｃのうち，第１，第２の受信部が選択され，その選局出力が，第１，第２のデコーダでデコードされる。信号処理部３４は，２つのデコード出力を２画面表示するための処理を行う。
表示器１４は，１つの表示領域上の対応した第１，第２の分割画面にそれぞれ表示する。
　
　イ　「【技術分野】
【０００１】この発明は，放送受信装置及び受信可能な放送方式表示方法に関するもので，特に各種の放送方式を受信できる装置に適用して最適となるものである。
【背景技術】
【０００２】周知のように，近年では，テレビジョン放送のデジタル化が推進されてきている。例えば，日本国内においては，ＢＳ（broadcasting satellite）デジタル放送及び１１０度ＣＳ（communication satellite）デジタル放送等の衛星デジタル放送だけでなく，地上デジタル放送も開始されている。また，地上アナログ放送も存在する。
【０００３】一方，放送受信装置は，上記した各種の放送方式の信号を受信できるように，各方式に対応したチューナを内蔵した装置も開発されている。したがってユーザーは，所望の放送方式の所望のチャンネル及び番組を視聴することができる。
【０００４】さらにまた，放送受信装置は，表示器の大型化も進み，全体の表示領域が広くなっている。このために，複数のチャンネルを同時に受信し，１つの表示領域に対して複数の画面を同時に表示することが可能である。
【０００５】また，一般的に，表示装置では，メニュー表示機能が設けられる。メニュー表示では，各種ボタン表示をハイライト表示とトーンダウン表示することにより，選択状況を識別させている。複数のチャンネルのデータを同時に取り扱う技術としては，例えば特許文献１がある。ここでは，１つのチューナを制御して複数チャンネルのデータを同時に処理しようとするものである。
【０００６】また，同一の表示領域に異なる放送からの情報を表示する技術として，特許文献２がある。ここでは，番組表情報の送信されている放送と番組表情報の送信されていない放送の番組表を同一画面に表示している。
【０００７】さらにハイライト表示を行なう技術として，特許文献３がある。ここでは，録画予約しているかどうかを識別するために，番組名欄にハイライト表示技術を用いている。
【特許文献１】特開２００１−２４５２２６公報
【特許文献１】特開２００３−１９８９６１公報
【特許文献１】特開２０００−２０９５１３公報」
　
　ウ　「【発明の開示】
【発明が解決しようとする課題】
【０００８】上記したように各種の放送方式が存在し，各種の放送方式で放送された信号を１つの受信装置で受信できるような場合に次のような問題が生じる。つまり１つの表示領域で複数の分割画面を表示している状態で，ユーザーは，その他にどのような放送方式を受信できるのか混乱を招くことがある。例えば，第１の放送方式の第１チャンネルを第１のチューナで受信し，第１画面でその映像を表示中に，第１の放送方式の第２チャンネルを第１のチューナで受信し，第２画面でその映像を表示しようとしても，このことは不可能である。これは第１のチューナは，既に第１チャンネルを受信中であるからである。
【０００９】ユーザーが，上記のような受信操作を行なった場合，ユーザーは，第２の画面に所望のチャンネルの映像を表示できないために，混乱を生じることがある。或いは，操作が間違っているのか，受信装置が故障しているのかの混乱を招くことがある。
【００１０】また，最近では，録画機能を備えたデジタルテレビジョン受信装置が市場で販売されている。このような装置において，受信装置の画面では，アナログ地上波放送の番組を視聴し，録画装置では，ＢＳ放送の番組Ａを録画することもある。このような状態のとき，ユーザーが受信装置の表示画面でＢＳ放送の番組Ｂを視聴しようとすると，番組Ａの録画を失する場合がある。
【００１１】そこでこの発明は，各種の放送方式の受信部を有した装置において，チャンネル選択操作で混乱を生じないようにし，利用者の操作の信頼性と安定性を得ることができる放送受信装置及び受信可能な放送方式表示方法を提供することを目的とする。」
　
　エ　「【発明を実施するための最良の形態】
【００１５】以下，図面を参照してこの発明の実施の形態を説明する。
【００１６】以下，この発明の実施の形態について図面を参照して詳細に説明する。図１は，この発明の実施の形態で説明する
テレビジョン放送受信装置１１
【図１】
【００１７】図１において，このテレビジョン放送受信装置１１は，主として，装置本体となるほぼ四角形状に形成された薄型のキャビネット１２と，このキャビネット１２を起立させて支持するスタンド１３とから構成されている。
【００１８】上記キャビネット１２には，その正面に，例えば平面型液晶表示パネル等でなる映像表示器１４の表示領域１４ａが露出されるとともに，一対のスピーカ１５，操作部１６，後述するリモートコントローラ（図１では図示せず）１７から送信される操作情報を受けるための受光部１８等が配置されている。」
　
　オ　「【００２１】図２は，上記テレビジョン放送受信装置１１の信号処理系を概略的に示している。この信号処理系を構成する各種の回路ブロックは，主として，上記キャビネット１２の内部で背面に近い位置，つまり，上記映像表示器１４の表示領域１４ａの裏側あたりに配置されている。
【図２】
【００２２】アナログテレビジョン放送受信用のアンテナ２７で受信したアナログテレビジョン放送信号は，入力端子２８を介してチューナ部２９に供給される。このチューナ部２９は，入力されたアナログテレビジョン放送信号から所望のチャンネルの信号を選局し復調している。このチューナ部２９から出力された信号は，Ａ／Ｄ（analog／digital）変換部３０によりデジタル化された後，セレクタ２６に出力される。
【００２３】Ａ／Ｄ変換された信号が，ＨＤＤユニット２０にて記録される場合は，セレクタ２６に付随しているエンコーダにより，所定のフォーマット例えばＭＰＥＧ（moving picture experts group）２方式による圧縮処理が施された後，ＨＤＤユニット２０にて記録される。
【００２４】また例えば地上波デジタルテレビジョン放送受信用のアンテナ２２Ａで受信したデジタルテレビジョン放送信号は，入力端子２３Ａを介してチューナ部２４Ａに供給される。このチューナ部２４Ａは，入力されたデジタルテレビジョン放送信号から所望のチャンネルの信号を選局し復調している。そして，このチューナ部２４Ａから出力された信号は，デコーダ部２５Ａに供給されて，例えばＭＰＥＧ（moving picture experts group）２デコード処理が施された後，セレクタ２６に供給される。
【００２５】また例えば放送衛星（Broadcast Satellite）からの放送受信用のアンテナ２２Ｂで受信したデジタルテレビジョン放送信号は，入力端子２３Ｂを介してチューナ部２４Ｂに供給される。このチューナ部２４Ｂは，入力されたデジタルテレビジョン放送信号から所望のチャンネルのストリーム信号を選局し復調している。そして，このチューナ部２４Ｂから出力された信号は，デコーダ部２５Ｂに供給されてデコード処理が施された後，セレクタ２６に供給される。
【００２６】さらにまた，例えば通信衛星（Communication Satellite）からの放送受信用のアンテナ２２Ｃで受信したデジタルテレビジョン放送信号は，入力端子２３Ｃを介してチューナ部２４Ｃに供給される。このチューナ部２４Ｃは，入力されたデジタルテレビジョン放送信号から所望のチャンネルのストリーム信号を選局し復調している。そして，このチューナ部２４Ｃから出力された信号は，デコーダ部２５Ｃに供給されてデコード処理が施された後，セレクタ２６に供給される。
【００２７】また上記のチューナ部２４Ａ，２４Ｂ，２４Ｃの出力は，直接セレクタ２６に供給されている（図示せず）。この信号から映像・音声情報のパケットなどが分離され，この制御部３５を介して直接ＨＤＤユニット２０にて記録されることも可能である。
【００２８】上記
セレクタ２６は，複数の入力デジタル映像及び音声信号から１つ或いは複数を選択して，信号処理部３４に供給し
信号処理部３４は，入力されたデジタル映像信号に所定の信号処理を施して上記映像表示器１４での映像表示に供させ
　
　カ　「【００２９】
映像表示部１４としては，例えば，液晶ディスプレイやプラズマディスプレイ等でなるフラットパネルディスプレイが採用され
【００３０】ここで，このテレビジョン放送受信装置１１は，上記した各種の受信動作を含む種々の動作を制御部３５によって統括的に制御されている。
この制御部３５は，ＣＰＵ
等を内蔵したマイクロプロセッサであり，
リモートコントローラ１７から送信された操作情報を受光部１８を介して受けることにより，その操作内容が反映されるように各部をそれぞれ制御し
【００３１】この場合，制御部３５は，メモリ部３６を使用している。このメモリ部３６は，主として，そのＣＰＵが実行する制御プログラムを格納したＲＯＭ（read only memory）と，該ＣＰＵに作業エリアを提供するためのＲＡＭ（random access memory）と，各種の設定情報及び制御情報等が格納される不揮発性メモリとを備えている。
【００３２】ここで，制御部３５は，スタンド１３内に収容されたＨＤＤユニット２０と接続されている。この場合，制御部３５からＨＤＤユニット２０に電源電力及び制御信号の供給を行なうライン３７は，接続部３８を介して制御部３５とＨＤＤユニット２０とを接続している。
【００３３】また，制御部３５とＨＤＤユニット２０との間でデジタル映像及び音声信号を授受するライン３９は，ｉ．Link接続部４０を介して制御部３５とＨＤＤユニット２０とを接続している。すなわち，制御部３５とＨＤＤユニット２０との間でのデジタル映像及び音声信号の伝送は，電源及び制御信号とは別個にｉ．Linkによって行なわれる。
【００３４】上記テレビジョン放送受信装置１１は，セレクタ２６で選択されたデジタルの映像及び音声信号を，ＨＤＤユニット２０により記録することができるとともに，ＨＤＤユニット２０に記録されたデジタルの映像及び音声信号を再生し，視聴に供させることができる。」
　
　キ　「【００３５】図３は，この発明の特徴の基本的要素の一例を示している。ここでは，アナログ系のチューナ部２９，復調部，Ａ／Ｄ変換部３０をまとめて，受信部及びデコーダ２９，３０として示している。またチューナ部２４Ａ，デコーダ部２４Ａをまとめて受信部及びデコーダ２４Ａ，２５Ａとして示している。またチューナ部２４Ｂ，デコーダ部２４Ｂをまとめて受信部及びデコーダ２４Ｂ，２５Ｂとして示している。またチューナ部２４Ｃ，デコーダ部２４Ｃをまとめて受信部及びデコーダ２４Ｃ，２５Ｃとして示している。
【図３】
【００３６】今，上記装置では，アナログ放送受信部「地上Ａ」が１つ，地上波デジタル放送受信部「地上Ｄ」が１つ，ＢＳ放送受信部「ＢＳ」が１つ，ＣＳ放送受信部「ＣＳ」が１つ存在するものとして示している。また，この装置では，
表示器１４において，１つの表示領域１４ａ内に，第１，第２の画面１４ａ１，１４ａ２を分割表示することができる
【００３７】このために，例えば，第１の画面にアナログ放送のチャンネルの映像を表示し，第２の画面に地上波デジタル放送のチャンネルの映像を表示することができる。また，第１の画面に地上波デジタル放送のチャンネルの映像を表示し，第２の画面に衛星（ＢＳ又はＣＳ）放送によるチャンネルの映像を表示することもできる。
【００３８】但し，上記の構成であると，第１の画面と第２の画面の両方に同時にアナログ放送のチャンネルの映像を表示することはできない。また第１の画面と第２の画面に同時に地上波デジタル放送のチャンネルの映像を表示することはできない。
【００３９】ここで
制御部３５は，
操作入力判別部３５ａ，使用中の受信部及びデコーダ判別部３５ｂ，利用可能な受信部及びデコーダ判別部３５ｃ，情報表示処理部３５ｄを含む
【００４０】
操作入力判別部３５ａは，リモートコントローラ１７によって入力された操作を処理する
【００４１】
使用中の受信部及びデコーダ判別部３５，操作内容に応じて，現在使用しているチューナ部とデコーダ部を把握し
未使用の受信部及びデコーダを利用可能な受信部及びデコーダ判別部３５ｃにより把握する
【００４２】したがって，現在使用しているチューナ部とデコーダ部とを除くと，第２の画面での映像表示に利用可能な受信部及びデコーダ部が判明する。
【００４３】つまり，上記の装置であると，今，（１）第１の画面にアナログ放送のチャンネルの映像を表示しているときは，第２の画面でアナログ放送のチャンネルの映像を表示することはできないことが把握される。逆に第２の画面では，地上波デジタル放送，又はＢＳ放送，又はＣＳ放送のいずれかのチャンネルの映像を表示することが可能であることが判明する。また，（２）第１の画面に地上波デジタル放送のチャンネルの映像を表示しているときは，第２の画面で地上波デジタル放送のチャンネルの映像を表示することはできないことが把握される。逆に第２の画面では，アナログ放送，又はＢＳ放送，又はＣＳ放送のいずれかのチャンネルの映像を表示することが可能であることが判明する。また，（３）第１の画面にＢＳ放送のチャンネルの映像を表示しているときは，第２の画面でＢＳ放送のチャンネルの映像を表示することはできないことが把握される。逆に第２の画面では，アナログ放送，又は地上波デジタル放送，又はＣＳ放送のいずれかのチャンネルの映像を表示することが可能であることが判明する。また，（４）第１の画面にＣＳ放送のチャンネルの映像を表示しているときは，第２の画面でＣＳ放送のチャンネルの映像を表示することはできないことが把握される。逆に第２の画面では，アナログ放送，又は地上波デジタル放送，又はＢＳ放送のいずれかのチャンネルの映像を表示することが可能であることが判明する。
【００４４】本発明に係る装置は，上記のように
受信可能な放送方式を，装置の状態として表示領域の一部に表示することができる。その表示データを出力する部分が，状態表示処理部３５ｄ
【００４５】第１の画面１４ａ１に近接して，現在この画面で表示されている放送方式とそのチャンネルを表示する表示番組のチャンネル表示領域ａ１１が確保されている。また第２の画面１４ａ２に近接して，現在この画面で表示されている放送方式とそのチャンネルを表示する表示番組のチャンネル表示領域ａ２２が確保されている。
【００４６】さらにまた，
第１の画面１４ａ１に近接して，この画面１４ａ１側で受信可能な放送方式のマーク
ハイライト表示され，受信不可能な放送方式のマークが
トーンダウン表示され
第２の画面１４ａ２に近接して，この画面１４ａ２側で受信可能な放送方式のマーク
ハイライト表示され，受信不可能な放送方式のマークが
トーンダウン表示され
【００４７】この結果，
ユーザーは，各画面において受信可能な放送方式を容易に認識することができる
　
　ク　「【００４８】図４（Ａ）には，受信装置に搭載されているチューナと，第１画面と第２画面でそれぞれ現在選択している放送方式と，この状態で，第１画面と第２画面でそれぞれ選択できる放送方式の関係を示す情報をパターン化した例を示している。このパターンはテーブルとして例えば，メモリ部３６に格納されてもよい。
【図４】（Ａ）
【００４９】図４（Ａ）の場合は，地上波アナログ放送の受信部が１台，地上波デジタル放送の受信部が１台，ＢＳ放送の受信部が１台，ＣＳ放送の受信部が１台，搭載されているデジタルテレビジョン受信装置の例を示している。
【００５０】選択可能な放送方式は丸印であり，選択不可能な放送方式は，ばつ印で示している。図面では，地上Ａ…地上波アナログ放送，地上Ｄ…地上波デジタル放送，ＢＳ…放送衛星放送，ＣＳ…通信衛星放送を意味する。
【００５１】図４（Ａ）には，４つのケースを示している。今，ケース１のように，第１画面については「地上Ａ」が選択され，第２画面については，「地上Ｄ」が選択されているものとする。すると，第１画面については「地上Ｄ」が選択不可であり，第２画面については，「地上Ａ」が選択不可である。
【００５２】ケース２のように第１画面については「地上Ｄ」が選択され，第２画面については，「ＢＳ」が選択されているものとする。すると，第１画面については「ＢＳ」が選択不可であり，第２画面については，「地上Ｄ」が選択不可である。
【００５３】ケース３のように第１画面については「ＢＳ」が選択され，第２画面については，「ＳＣ」が選択されているものとする。すると，第１画面については「ＣＳ」が選択不可であり，第２画面については，「ＢＳ」が選択不可である。
【００５４】ケース４のように第１画面については「ＣＳ」が選択され，第２画面については，「地上Ａ」が選択されているものとする。すると，第１画面については「地上Ａ」が選択不可であり，第２画面については，「ＣＳ」が選択不可である。」
　
　ケ　「【００６１】図５には，図４（Ａ）に示した設定のもとで，表示器１４の表示領域１４ａに２画面が構成された例を示している。
【図５】
【００６２】この例は，第1画面で「地上Ｄ」が選択され，第２画面で「ＢＳ」が選択された様子を示している。図４（Ａ）のケース２の例である。
【００６３】この場合は，第１の画面１４ａ１に近接して，現在この画面で表示されている放送方式とそのチャンネルを表示する表示番組のチャンネル表示領域ａ１１が確保されている。この表示領域ａ１１には，現在の画面が，「地上Ｄ」のチャンネル０１１であり，番組名が「タイガーの尾」であることを示している。
【００６４】さらに，第１の画面１４ａ１に近接して，この画面１４ａ１側で受信可能な放送方式のマーク（或いはシンボル，記号或いは放送方式識別情報）がハイライト表示され，受信不可能な放送方式のマークがトーンダウン表示（消去でもよい）される。つまり，ここでは，マークとして，「地上Ａ」，「地上Ｄ」，「ＣＳ」がハイライト表示され，「ＢＳ」がトーンダウン（消去でもよい）されて表示されている。これは「ＢＳ」のチューナが，第２画面側で使用中であるからである。
【００６５】また第２の画面１４ａ２に近接して，現在この画面で表示されている放送方式とそのチャンネルを表示する表示番組のチャンネル表示領域ａ２２が確保されている。この表示領域ｂ１１には，現在の画面が，「ＢＳ」のチャンネル１５２であり，番組名が「人間ドキュメント・１０２の教授」であることを示している。
【００６６】さらにまた，第１の画面１４ａ２に近接して，この画面１４ａ２側で受信可能な放送方式のマーク（或いはシンボル，記号，或いは放送方式識別情報）がハイライト表示され，受信不可能な放送方式のマークがトーンダウン表示（消去でもよい）される。ここでは，マークとして，「地上Ａ」，「ＢＳ」，「ＣＳ」がハイライト表示され，「地上Ｄ」がトーンダウン（消去でもよい）されて表示されている。これは「地上Ｄ」のチューナが，第１画面側で使用中であるからである。
【００６７】上記したように，受信可能な放送方式が表示されることにより，ユーザは，どのような放送方式を受信できるのか混乱を招くことなく，安心して装置を操作することができる。」
　
　コ　「【００６８】図６は，上記の装置の動作例を実現するために示したフローチャートである。
【図６】
チューナの選択及び選局操作があった場合
，選択されたチューナは使用可能か否かの判定が成される
【００６９】
使用可能であれば，ハイライトマークとトーンダウンマーク（或いは消去）とを決定し，
選択及び選局動作が実行される
最終的に，放送方式の識別表示についてハイライトマークとトーンダウンマーク
が決定されて表示される
【００７０】第２画面側が操作される場合も同様である。即ち，第２画面用の操作があった場合，第２画面に関してテーブルが参照される（ステップＳＡ８）。次に，選択されたチューナは使用可能か否かの判定が成される（ステップＳＡ９）。使用不可であれば警告が表示される（ステップＳＡ７）。使用可能であれば，ハイライトマークとトーンダウンマークとを決定し，図５で示したような放送方式のマーク表示を得る。そして具体的に選択及び選局動作が実行される（ステップＳＡ１０）。そして最終的に，放送方式の識別表示についてハイライトマークとトーンダウンマーク（或いは消去）が決定されて表示される（ステップＳＡ１１）。
【００７１】
この発明は，上記の実施の形態に限定されるものではない。上記の実施形態では，デジタルテレビジョン放送受信装置が２画面を表示し，複数のチューナ及びデコーダを同時に利用する形態を示した。しかし複数のチューナ及びデコーダを同時に利用する形態は２画面表示の例に限定されるものではない。
　
　サ　「【００７４】図９には，リモートコントローラ１７の外観を示している。さきの２画面表示と１画面表示状態は，二画面キー１７ｑを操作することにより，繰り返し画面状態を切換えることができる。」
【図９】
　
　(3) 引用発明
　これら記載事項からみて，引用例１には，以下の発明が記載されている（以下「引用発明」という。また，引用発明の認定に際して参考にした引用例１の記載箇所を明示するため，段落番号を付記する。）。
　
「　【００２９】映像表示部１４としては，例えば，液晶ディスプレイやプラズマディスプレイ等でなるフラットパネルディスプレイが採用され，
　【００２８】セレクタ２６は，複数の入力デジタル映像及び音声信号から１つ或いは複数を選択して，信号処理部３４に供給し，
　【００２８】信号処理部３４は，入力されたデジタル映像信号に所定の信号処理を施して上記映像表示器１４での映像表示に供させ，
　【００３０】制御部３５は，ＣＰＵ等を内蔵したマイクロプロセッサであり，リモートコントローラ１７から送信された操作情報を受光部１８を介して受けることにより，その操作内容が反映されるように各部をそれぞれ制御し，ここで，【００３９】制御部３５は，操作入力判別部３５ａ，使用中の受信部及びデコーダ判別部３５ｂ，利用可能な受信部及びデコーダ判別部３５ｃ，情報表示処理部３５ｄを含み，【００４０】操作入力判別部３５ａは，リモートコントローラ１７によって入力された操作を処理し，【００４１】使用中の受信部及びデコーダ判別部３５は，操作内容に応じて，現在使用しているチューナ部とデコーダ部を把握し，【００４１】利用可能な受信部及びデコーダ判別部３５ｃは，未使用の受信部及びデコーダを把握し，【００４４】状態表示処理部３５ｄは，受信可能な放送方式を，装置の状態として表示領域の一部に表示する，表示データを出力し，
　【００３６】映像表示部１４において，１つの表示領域１４ａ内に，第１の画面１４ａ１，第２の画面１４ａ２を分割表示することができ，【００４６】第１の画面１４ａ１に近接して，第１の画面１４ａ１側で受信可能な放送方式のマークがハイライト表示され，受信不可能な放送方式のマークがトーンダウン表示され，第２の画面１４ａ２に近接して，第２の画面１４ａ２側で受信可能な放送方式のマークがハイライト表示され，受信不可能な放送方式のマークがトーンダウン表示され，
　【００６８】チューナの選択及び選局操作があった場合，選択されたチューナは使用可能か否かの判定が成され，【００６９】使用可能であれば，ハイライトマークとトーンダウンマークとを決定し，選択及び選局動作が実行され，最終的に，放送方式の識別表示についてハイライトマークとトーンダウンマークが決定されて表示され，
　【００４７】ユーザーが，各画面において受信可能な放送方式を容易に認識することができる，
　【００１６】テレビジョン放送受信装置１１。」
　
　(4) 対比
　本件補正後発明と引用発明を対比すると，以下のとおりである。
　ア　表示部
　引用発明において，「映像表示部１４としては，例えば，液晶ディスプレイやプラズマディスプレイ等でなるフラットパネルディスプレイが採用され」る。
　ここで，本件補正後発明の「画像」は，引用発明の「映像」のような，動画像を含む。
　したがって，引用発明の「映像表示部１４」は，本件補正後発明の「画像を表示する表示部」に相当する。
　
　イ　表示制御部
　引用発明において，「セレクタ２６は，複数の入力デジタル映像及び音声信号から１つ或いは複数を選択して，信号処理部３４に供給し，信号処理部３４は，入力されたデジタル映像信号に所定の信号処理を施して上記映像表示器１４での映像表示に供させ」ている。
　ここで，引用発明の「信号処理部３４」が，映像表示部１４の表示範囲に，複数の画面を並べて配置し，映像を表示させていることは明らかである（【図３】の構成説明図及び【要約】の【解決手段】の「表示器１４は，１つの表示領域上の対応した第１，第２の分割画面にそれぞれ表示する。」という記載からも理解できる事項である。）。
　したがって，引用発明の「信号処理部３４」は，本件補正後発明の「前記表示部の表示範囲に複数の表示領域を並べて配置し，各表示領域に画像を表示させる表示制御部」に相当する。
　
　ウ　画像選択部
　引用発明において，「セレクタ２６は，複数の入力デジタル映像及び音声信号から１つ或いは複数を選択して，信号処理部３４に供給し」ている。
　したがって，引用発明の「セレクタ２６」は，本件補正後発明の「各々の前記表示領域に表示される画像を，複数の入力画像から選択する画像選択部」に相当する。
　
　エ　多画面表示制御部（画像指定画面）
　引用発明において，「制御部３５は，ＣＰＵ等を内蔵したマイクロプロセッサであり，リモートコントローラ１７から送信された操作情報を受光部１８を介して受けることにより，その操作内容が反映されるように各部をそれぞれ制御し，ここで，制御部３５は，操作入力判別部３５ａ，使用中の受信部及びデコーダ判別部３５ｂ，利用可能な受信部及びデコーダ判別部３５ｃ，情報表示処理部３５ｄを含み，操作入力判別部３５ａは，リモートコントローラ１７によって入力された操作を処理し，使用中の受信部及びデコーダ判別部３５は，操作内容に応じて，現在使用しているチューナ部とデコーダ部を把握し，利用可能な受信部及びデコーダ判別部３５ｃは，未使用の受信部及びデコーダを把握し，状態表示処理部３５ｄは，受信可能な放送方式を，装置の状態として表示領域の一部に表示する，表示データを出力し」ている。
　そうしてみると，引用発明の「表示領域の一部」（状態表示処理部３５ｄが出力する表示データを表示する領域）と，本件補正後発明の「画像指定画面」は，「前記表示領域に表示する画像として選択可能な複数の前記入力画像を表示し，表示された前記入力画像のいずれかを前記表示領域に表示する画像として選択する操作」「をするための画像指定画面」の点で一致する。
　また，引用発明の「制御部３５」と本件補正後発明の「多画面表示制御部」は，「前記表示領域に表示する画像として選択可能な複数の前記入力画像を表示し，表示された前記入力画像のいずれかを前記表示領域に表示する画像として選択する操作」「をするための画像指定画面を前記表示部に表示させ」る制御を行う点で一致する。
　
　オ　多画面表示制御部（表示形態を変更し）
　引用発明の「制御部３５は，操作入力判別部３５ａ，使用中の受信部及びデコーダ判別部３５ｂ，利用可能な受信部及びデコーダ判別部３５ｃ，情報表示処理部３５ｄを含み，操作入力判別部３５ａは，リモートコントローラ１７によって入力された操作を処理し，使用中の受信部及びデコーダ判別部３５は，操作内容に応じて，現在使用しているチューナ部とデコーダ部を把握し，状態表示処理部３５ｄは，受信可能な放送方式を，装置の状態として表示領域の一部に表示する，表示データを出力し」ているところ，「チューナの選択及び選局操作があった場合，選択されたチューナは使用可能か否かの判定が成され，使用可能であれば，ハイライトマークとトーンダウンマークとを決定し，選択及び選局動作が実行され，最終的に，放送方式の識別表示についてハイライトマークとトーンダウンマークが決定されて表示され」る。
　したがって，引用発明の「制御部３５」と本件補正後発明の「多画面表示制御部」は，「前記画像指定画面の表示中の操作により，複数の前記表示領域のいずれかに表示する画像として前記入力画像が選択された場合に，選択された前記入力画像と同時に表示できない前記入力画像が他の前記表示領域に表示する画像として選択されないように，」「他の前記表示領域に対応する前記画像指定画面の表示形態を変更し，」という制御を行う点で一致する。
　
　カ　表示装置
　以上の対比結果を踏まえると，引用発明の「テレビジョン放送受信装置１１」は，本件補正後発明の「表示装置」に対応する。
　
　(5) 一致点及び相違点
　ア　本件補正後発明と引用発明は，以下の構成において一致する。
「　画像を表示する表示部と，
　前記表示部の表示範囲に複数の表示領域を並べて配置し，各表示領域に画像を表示させる表示制御部と，
　各々の前記表示領域に表示される画像を，複数の入力画像から選択する画像選択部と，
　前記表示領域に表示する画像として選択可能な複数の前記入力画像を表示し，表示された前記入力画像のいずれかを前記表示領域に表示する画像として選択する操作をするための画像指定画面を前記表示部に表示させ，
　前記画像指定画面の表示中の操作により，複数の前記表示領域のいずれかに表示する画像として前記入力画像が選択された場合に，選択された前記入力画像と同時に表示できない前記入力画像が他の前記表示領域に表示する画像として選択されないように，他の前記表示領域に対応する前記画像指定画面の表示形態を変更する多画面表示制御部と，
　を備える表示装置。」
　
　イ　本件補正後発明と引用発明は，以下の点において相違する。
（相違点）
　本件補正後発明の「多画面表示制御部」は，「前記表示領域に表示する画像として選択可能な複数の前記入力画像を表示し，表示された前記入力画像のいずれかを前記表示領域に表示する画像として選択する操作
と，前記選択を決定する確定操作と
前記確定操作がなされる前に，
前記画像指定画面の表示中の操作により全ての前記表示領域に表示する画像が選択され，前記確定操作がされた場合に，全ての前記表示領域に表示する画像を一括して決定し，決定した画像を前記画像選択部により選択させる
　
　(6) 判断
　引用発明は，「映像表示部１４において，１つの表示領域１４ａ内に，第１の画面１４ａ１，第２の画面１４ａ２を分割表示することができ，第１の画面１４ａ１に近接して，第１の画面１４ａ１側で受信可能な放送方式のマークがハイライト表示され，受信不可能な放送方式のマークがトーンダウン表示され，第２の画面１４ａ２に近接して，第２の画面１４ａ２側で受信可能な放送方式のマークがハイライト表示され，受信不可能な放送方式のマークがトーンダウン表示され」るものであるから，【図５】のような選択操作画面を実施の態様とする発明である。ただし，引用例１の段落【００７１】には，「この発明は，上記の実施の形態に限定されるものではない。上記の実施形態では，デジタルテレビジョン放送受信装置が２画面を表示し，複数のチューナ及びデコーダを同時に利用する形態を示した。しかし複数のチューナ及びデコーダを同時に利用する形態は２画面表示の例に限定されるものではない。」と記載されている。したがって，引用発明は，３画面表示や４画面表示，あるいは，ピクチャーインピクチャー表示も可能なテレビジョン放送受信装置１１も意図したものであるが，この場合の選択操作画面の構成について，引用例１には，図５及びその説明のような，明示的な記載が存在しないから，「各種の放送方式の受信部を有した装置において，チャンネル選択操作で混乱を生じないようにし，利用者の操作の信頼性と安定性を得ることができる放送受信装置及び受信可能な放送方式表示方法を提供することを目的とする。」（段落【００１１】）という引用発明の目的課題を達することが可能な範囲内で，適宜の選択操作画面を案出することは，当業者における通常の創意工夫である。
　ところで，映像表示部に表示可能な画面が複数ある場合の選択操作画面として，映像表示部に表示する画面の選択肢を複数選択可能なようにユーザに呈示し，ユーザが映像表示部に表示する画面を選択した上で一括して決定するような技術は，引用発明において２画面表示のみならず，３画面表示や４画面表示，あるいは，ピクチャーインピクチャー表示も可能とする際の選択操作画面に適したものであるところ，このような選択操作画面は，例えば，(A)特開２００１−２４９５９号公報（以下「周知例１」という。）の【図４】（ａ）（ｂ）及びその説明（「２００ｃｈ」，「２０１ｃｈ」及び「２０２ｃｈ」のうち「２００ｃｈ」及び「２０２ｃｈ」を選択し，「表示」ボタン４０７によって，選択されたチャンネルを選局・表示する技術），(B)特開２０１０−５６８３２号公報（以下「周知例２」という。）の【図２２】及びその説明（「２４１ｃ」〜「２４６ｃ」のうち「２４２ｃ」及び「２４３ｃ」を選択して「終了」する技術），(C)特開２０１０−２０４１１号公報（以下「周知例３」という。）の【図１２】及びその説明（選択欄５１２〜５１５のうち選択欄５１２〜５１４が選択され，接続ボタン５０４のクリックにより接続する技術），(D)特開２００７−１５０５８０号公報（以下「周知例４」という。）の【図５】及びその説明（「ＮＸＮ総合」〜「テレビＴＫ」のうち「ＦＺテレビ」及び「ＮＨテレビ」を選択して「保存」する技術）に記載されているように周知技術である。
　また，引用発明において「ユーザーが，各画面において受信可能な放送方式を容易に認識することができる」という効果を維持するためには，周知技術を採用するに際しても，映像表示部１４に表示する画面を選択する都度，ハイライト表示及びトーンダウン表示を変更することが，絶対に必要である一方，映像表示部１４に表示する画面を選択する途中経過を映像表示部１４の表示に逐一反映させるか否かは，装置の処理能力等を勘案し取捨選択しうる事項にすぎない（例えば，周知例１においても，段落【００４１】において「受信者がチャンネルを選局する場合，ユーザ入力１１１の「移動」等の操作を行い，表示ボタン４０７上に前記選択カーソル３０８を移動させ，「決定」等の操作を行うと，選択されたチャンネルが選局・表示される。」と説明しつつも，段落【００４０】において「またこのとき画面を二分割し，選択された二つのチャンネル２００ｃｈ，２０２ｃｈの映像を同時表示することが可能である。また選択されたチャンネルが増える度に画面を更に分割して表示することも可能である。」と説明している。）。
　そうしてみると，当業者が，引用発明の効果を維持しつつ周知技術の構成を採用するに際し，前記取捨選択をなすことは，引用発明の要旨の範囲内における，引用発明の具体的実施態様の変更にすぎない。
　また，以上のようにしてなる「制御部３５」は，「前記表示領域に表示する画像として選択可能な複数の前記入力画像を表示し，表示された前記入力画像のいずれかを前記表示領域に表示する画像として選択する操作と，前記選択を決定する確定操作とをするための画像指定画面を前記表示部に表示させ，前記画像指定画面の表示中の操作により，複数の前記表示領域のいずれかに表示する画像として前記入力画像が選択された場合に，選択された前記入力画像と同時に表示できない前記入力画像が他の前記表示領域に表示する画像として選択されないように，前記確定操作がなされる前に，他の前記表示領域に対応する前記画像指定画面の表示形態を変更し，前記画像指定画面の表示中の操作により全ての前記表示領域に表示する画像が選択され，前記確定操作がされた場合に，全ての前記表示領域に表示する画像を一括して決定し，決定した画像を前記画像選択部により選択させる多画面表示制御部」となる。
　
　そして，本件補正後発明の効果のうち，「ユーザーは，システム上の制約等を自ら考慮することなく，簡単に，複数の表示領域１０１，１０３に表示される映像の入力ソースを，許容される組み合わせで選択できる。」（段落【００４３】）という効果は，引用発明が奏する効果であり，「表示範囲に複数の表示領域を並べて配置する多画面表示を行う場合に，全ての表示領域に表示する画像を，より簡単な操作によって選択し，切り換えることができる。」（補正１による補正後の段落【００１１】）という効果は，前記周知技術が奏する効果にすぎない。
　したがって，本件補正後発明が奏する効果は，引用発明及び周知技術から予測できる範囲内のものであり，顕著なものであるとはいえない。
　
　(7) 備考
　「画面」は，通常，「写真・映画・テレビなどの，写し出された像。」を意味する（広辞苑６版）。
　ここで，引用発明の「表示領域の一部」は，ひとまとまりの像ではない（２つに別れている）としても，「映し出された像」ではあるから「画面」であり，この点において，前記(4)エの対比のように，引用発明の「表示領域の一部」と本件補正後発明の「画像指定画面」を対応づけることが可能である。
　ただし，仮に，本件補正後発明の「画像指定画面」の「画面」をひとまとまりの像と限定的に解釈した場合においては，引用発明の「表示領域の一部」と本件補正後発明の「画像指定画面」は，「画面」といえるか否かの点においても相違することとなる。
　しかしながら，仮にこの点を相違点と認定するとしても，引用発明の「表示領域の一部」と本件補正後発明の「画像指定画面」は，前記(4)エで言及した機能の点においては一致するものであり，また，「画面」といえるか否かの相違点は，前記(6)と同様の判断により，克服されるものにすぎない（結論に影響を及ぼさない。）。
　
　(8) 請求人の主張について
　ア　請求人は，「本願発明の特徴的な構成である，「前記表示領域に表示する画像として選択可能な複数の前記入力画像を表示し，表示された前記入力画像のいずれかを前記表示領域に表示する画像として選択する操作と，前記選択を決定する確定操作とをするための画像指定画面」を表示し，「前記画像指定画面の表示中の操作により，複数の前記表示領域のいずれかに表示する画像として前記入力画像が選択された場合に，選択された前記入力画像と同時に表示できない前記入力画像が他の前記表示領域に表示する画像として選択されないように，前記確定操作がなされる前に，他の前記表示領域に対応する前記画像指定画面の表示形態を変更」する点について，刊行物Ａ乃至Ｄに開示及び示唆はない。」と主張する。
　しかしながら，引用発明（刊行物Ｂ）と周知技術（刊行物Ｃ）を組み合わせてなるものは，請求人が主張する構成を具備する。
　
　イ　請求人は，「本願発明は，本願明細書の段落［００４３］に記載したように，「同時に選択できない入力ソース」について，「これらの一方が左画面用カーソル１１７または右画面用カーソル１１８で選択された場合は，他方を選択できないようにする。」ことができ，「ユーザーは，システム上の制約等を自ら考慮することなく，簡単に，複数の表示領域１０１，１０３に表示される映像の入力ソースを，許容される組み合わせで選択できる。」との格別の効果を奏する。特に，「前記確定操作がなされる前に」，「画像指定画面の表示形態を変更」するので，ユーザーが，同時に選択できない組合せを選択してしまうという無駄な操作を行うことがなく，利便性の向上に寄与することは明らかである。」と主張する。
　しかしながら，段落【００４３】記載の効果は引用発明が奏する効果に過ぎず，また，引用発明は，選択操作が行われる都度，ハイライト／トーンダウン表示を変更する構成を有するところ，引用発明と周知技術を組み合わせるに際し，この構成を敢えて変える必要はなく，むしろ，「ユーザーが，各画面において受信可能な放送方式を容易に認識することができる」という引用発明の効果を考慮すると，敢えて変えることは考えられない（変えると引用発明の効果が失われる点において，変えることの方にむしろ阻害要因がある）。したがって，「前記確定操作がなされる前に」，「画像指定画面の表示形態を変更」する構成に到ることは，当然のことにすぎない。
　
　ウ　請求人は，「刊行物Ｂが開示する多画面表示中の画面（図５）は視聴中の画面であり，本願の画像指定画面の特徴である「画像指定画面の表示中の操作により全ての前記表示領域に表示する画像が選択され，前記確定操作がされた場合に，全ての前記表示領域に表示する画像を一括して決定」する点について刊行物Ｂに開示及び示唆はない。」と主張する。
　しかしながら，引用例１（刊行物Ｂ）には，前記(6)で述べたとおりの，容易推考の契機が存在する。また，引用例１の段落【００４４】の「本発明に係る装置は，上記のように受信可能な放送方式を，装置の状態として表示領域の一部に
表示することができる
　なお，【図５】のような表示を視聴中の画面に常時表示することは一般的ではなく，リモートコントローラ１７のいずれかのボタンを押したときに表示されるのが普通である。
　
　エ　請求人は，「刊行物Ｃは，表示画面（図４（ａ），（ｂ）等）においてチャンネルを選択する操作を開示するが（段落［００３２］等），この表示画面において，「複数の前記表示領域のいずれかに表示する画像として前記入力画像が選択された場合に」，「他の前記表示領域に対応する前記画像指定画面の表示形態を変更」する点について開示も示唆もなく，表示形態を変更するタイミングについても勿論開示及び示唆はない。」，「刊行物Ｄに開示された「選択画面」（図２２，段落［００８５］等）は，表示する候補となる画像データのサムネイルを表示し，これらサムネイルから表示する画像データを選択する画面であり，この選択画面において，「複数の前記表示領域のいずれかに表示する画像として前記入力画像が選択された場合に」，「他の前記表示領域に対応する前記画像指定画面の表示形態を変更」する点の開示及び示唆はない。」と主張する。
　しかしながら，刊行物Ｃ（周知例１）及び刊行物Ｄ（周知例２）は，「映像表示部に表示可能な画面が複数ある場合の選択操作画面として，映像表示部に表示する画面の選択肢を複数選択可能なようにユーザに呈示し，ユーザが映像表示部に表示する画面を選択した上で一括して決定する」ことが周知技術であることを示す文献にすぎず，請求人が主張するような開示及び示唆がされていることを要しない。
　
　(9) 小括
　本件補正後発明は，引用例１に記載された発明及び周知技術に基づいて，その出願前にその発明の属する技術の分野における通常の知識を有する者が容易に発明をすることができたものであるから，特許法２９条２項の規定により，特許出願の際に独立して特許を受けることができないものである。
　
　４　補正却下の決定についてのまとめ
　本件補正は，特許法１７条の２第６項において準用する同法１２６条７項の規定に違反するので，同法１５９条１項の規定において読み替えて準用する同法５３条１項の規定により却下すべきものである。
　
第３　本願発明について
　１　本願発明
　本件補正は上記のとおり却下されたので，本件出願の特許請求の範囲の請求項１に係る発明（本願発明）は，前記「第２」１(1)に記載のとおりのものである。
　なお，本件出願の発明の詳細な説明には，【図１】とともに，画像選択部（ソース選択部２３）が，表示制御部（表示制御部１５）の構成の一部である実施形態が開示されている。しかしながら，請求項１では，両者は，別の構成として記載されているので，本願発明の「画像選択部」と「表示制御部」は，別の構成（請求項１に記載されたとおりの構成）であると認める。
　また，本願発明の「入力画像」には，「入力画像の内容」のみならず，「コンピュータ」，「ビデオ」，「ＨＤＭＩ」（【図３】（ｂ））等の，「入力画像の入力元の名称」も含まれると認める。
　
　２　原査定の拒絶の理由
　原査定の拒絶の理由は，概略，この出願の請求項１に係る発明は，その出願前に日本国内又は外国において，頒布された引用例１に記載された発明及び周知技術に基づいて，その出願前にその発明の属する技術の分野における通常の知識を有する者が容易に発明をすることができたものであるから，特許法２９条２項の規定により特許を受けることができない，というものである。
　
　３　引用例１に記載の事項及び引用発明
　引用例１に記載の事項及び引用発明は，前記「第２」３(2)及び(3)に記載したとおりである。
　
　４　対比及び判断
　本願発明は，本件補正後発明の多画面表示制御部において，「前記確定操作がなされる前に」との要件を除いたものである。
　そうすると，本願発明の構成を全て含み，さらに他の限定を付したものに相当する本件補正後発明が，前記「第２」３(4)ないし(9)で述べたとおり，引用例１に記載された発明及び周知技術に基づいて容易に発明できたものであることを考慮すると，本願発明も，同様に，引用例１に記載された発明及び周知技術に基づいて当業者が容易に発明できたものである。
　また，本願発明が奏する効果は，引用発明及び周知技術から予測できる範囲内のものであり，顕著なものであるとはいえない。
　
第４　まとめ
　以上のとおり，本願発明は，引用例１に記載された発明及び周知技術に基づいて，その出願前にその発明の属する技術の分野における通常の知識を有する者が容易に発明をすることができたものであるから，特許法２９条２項の規定により特許を受けることができない。
　したがって，他の請求項に係る発明について審理するまでもなく，本願は拒絶すべきものである。
　よって，結論のとおり審決する。